(57)【特許請求の範囲】
【請求項１】
フルカラー対応のＲＧＢ各色のＬＥＤが搭載された発光部と、
片手で操作するＲＧＢ各色に対応する複数のスイッチであって、人差し指、中指および薬指でそれぞれ操作することにより前記発光部の発色を制御する複数のスイッチと、
前記発光部のフェード調光モードを含む機能を制御するスイッチであって、親指で操作できる位置に配置されたスイッチとを有するハンディーライト。
【請求項２】
請求項１において、前記親指で操作できる位置に配置されたスイッチは、右手の親指および左手の親指で操作する位置に設けられたスイッチを含む、ハンディーライト。
【発明の詳細な説明】
【技術分野】
【０００１】
本発明は、ハンディーライトに関するものである。
【背景技術】
【０００２】
特許文献１には、スイッチの構造を可及的に簡素化して外形を小型にすると共に、廉価に製造できるペンライトなどの発光具を得ることが記載されている。そのため、特許文献１には、半透明な筒体からなる発光筒と、グリップ筒とを分離可能にねじ結合し、両筒の間に導電膜を一面に形成した電気基板を配し、その電気基板に発光素子を取り付けると共に、電気基板の導電膜に面してバネによって電気基板側へ弾発される電源電極（電池の陽極、バネの電極端）を配することによって、電気基板をスイッチの一部として利用することが記載されている。
【先行技術文献】
【特許文献】
【０００３】
【特許文献１】特開平９−２８２９０２号公報
【発明の概要】
【発明が解決しようとする課題】
【０００４】
コンサート会場などの様々な空間や場面で光を演出できるハンディーライトが求められている。
【課題を解決するための手段】
【０００５】
本発明の態様の１つは、フルカラー対応のＬＥＤが搭載されてペンライトを片手でＲＧＢ各色に対応する複数のスイッチであって、人差し指、中指および薬指でそれぞれ操作することにより発光部の発色を制御する複数のスイッチと、発光部のフェード調光モードを含む機能を制御するスイッチであって、親指で操作できる位置に配置されたスイッチとを操作することにより自在に発光を変化させることができるハンディーライトである。このハンディーライトは、光を奏でる楽器として取扱いでき、様々な空間や場面で光を演出できる。
【図面の簡単な説明】
【０００６】
【図１】リニアタイプのハンディーライトの概要を示す図。
【図２】パラレルタイプのハンディーライトの概要を示す図。
【図３】両手のいずれでも掴めるハンディーライトの概要を示す図。
【図４】ハンディーライトの異なる例を示す図。
【図５】パラレルタイプのハンディーライトの設計の一例を示す図。
【図６】パラレルタイプのハンディーライトの一例の６面図。
【図７】パラレルタイプのハンディーライトの一例の６面図。
【図８】パラレルタイプのハンディーライトの異なる例を示す図。
【図９】パラレルタイプのハンディーライトの異なる例を示す図。
【図１０】パラレルタイプのハンディーライトの異なる例を示す図。
【図１１】パラレルタイプのハンディーライトの異なる例を示す図。
【図１２】リニアタイプのハンディーライトの一例の５面図。
【図１３】リニアタイプのハンディーライトの一例の５面図。
【図１４】リニアタイプのハンディーライトの異なる例を示す図。
【図１５】リニアタイプのハンディーライトの異なる例を示す図。
【図１６】リニアタイプのハンディーライトの異なる例を示す図。
【図１７】パラレルタイプのハンディーライトの異なる例を示す図。
【図１８】リニアタイプのハンディーライトの異なる例を示す図。
【発明を実施するための形態】
【０００７】
図１に、フルカラー対応のＬＥＤが搭載されてペンライトタイプのハンディーライトであって、片手でＲＧＢ各色に対応するスイッチを操作することにより自在に発光を変化させることができるハンディーライトの一例を示している。このハンディーライト１０は、光を奏でる楽器として取扱いでき、様々な空間や場面で光を演出できる。
【０００８】
このハンディーライト１０は、発光部（ライト）３０と把持部（グリップ）５０とが直線的に接続されたペン型（トーチ型、リニアタイプ）で、把持部５０には一方の側に光の３原色であるＲＧＢの各色スイッチ５１〜５３が配置されており、これらのスイッチ５１〜５３を押すことによりＲＧＢＣＭＹＷ７色の発光をモーメンタリーで制御できる。したがって、発光部３０の、ＯＮ−ＯＦＦ、発光色の切り替えを自在に行える。
【０００９】
把持部５０の反対側には機能スイッチ（フェードスイッチ、Ｆスイッチ）５５が配置されており、Ｆスイッチ５５を押してＲＧＢスイッチ５１〜５３を押すと発光がフェードイン、フェードアウトするので中間色を表現できる。
【００１０】
Ｆスイッチ５５と上下または左右に並んでプログラムスイッチ（Ｐスイッチ）５６が配置されており、Ｐスイッチ５６を押してＲＧＢスイッチ５１〜５３を押すと予めメモリーされているパターンを、ＲＧＢ３個スイッチを用いた３ビットスイッチングにより選択できる。したがって、発光部３０の発光パターンを自在に制御できる。
【００１１】
図２に、発光部３０とグリップ５０とが並列に配置されたパラレルタイプ（リング型）のハンディーライト２０の一例を示している。このハンディーライト２０は全体が円盤状であり、発光部３０とグリップ５０との間に指を通す空間４０があるので、グリップ５０を、つり革同様手を通せる形状にする事により手を離しても落ちる事は有りません。このハンディーライト２０においても、片手によるスイッチング（運指）により点灯、消灯を手動コントロールできる。発光部３０およびグリップ５０とは、指を通す空間４０を介して接続されており、空間４０の両側で接続されていてもよく、一方の側で接続されていてもよい。
【００１２】
なお、ハンディーライトによっては、指を通す空間４０は、人差し指、中指および薬指を通せるようになっており、Ｆスイッチ５５およびＰスイッチ５６は親指で操作できる位置に配置されているものであってもよい。
【００１３】
グリップ５０の一方の側（前側、前面側）には、ＲＧＢ各色のスイッチ５１〜５３と、Ｐスイッチ５６とが配置されている。Ｒスイッチ５１は人差し指、Ｇスイッチ５２は中指、Ｂスイッチ５３は、薬指で操作でき、３ビットスイッチングで（運指）でＲＧＢＣＭＹＷの７色発光の制御が可能である。Ｐスイッチ５６は、小指で操作できる場所に配置されており、パターンスイッチＯＮで３ビットスイッチングに対応した既存発光をパターン再生できる。Ｆスイッチ５５は、グリップ５０の両端またはそれに近い、親指で操作できる位置に配置されており、フェード調光モードが制御できる。
【００１４】
図３に示すように、Ｆスイッチ５５は、グリップ５０を左右それぞれの手でもったときの親指の位置に配置されている。このため、親指用スイッチ５５を左右に設置し並列で接続し、右手、左手切り替えによりどちらの手でも操作できるので、両手のいずれでも持つことが可能である。左右反転はスイッチの操作により可能である。たとえば、ＲＧＢＦＰのすべてのスイッチ５１〜５３、５５および５６を同時長押しにより左右反転する。左右反転のスイッチ操作はこれに限定されない。
【００１５】
トーチ型のハンディーライト１０およびリング型のハンディーライト２０のいずれにおいても、スイッチを用いて、発光部３０における発色を設定することができる。たとえば、親指用のＦスイッチ５５をＲＧＢ各色８階調で５１２色より独自に設定出来る色指定モードにセットすることができる。このモードでは、ＲＧＢ各スイッチ５１〜５３の３ビットで７色を設定可能（プリセット可能）である。スイッチＯＮで発色を保持し、押し直すとそのスイッチに対応する色の光を出力する。小指用Ｐスイッチ５６が消灯する機能を持つ。なお、それぞれのスイッチに割り当てられる機能は一例である。
【００１６】
色設定のプロセスの一例は以下の通りある。
１．ＲＧＢＦＰ同時２度押しによりＲＧＢＷ順点後消灯。
２．ＲＧＢスイッチ５１〜５３のうちの、発光させたい色のスイッチを押す度に発光が８段階で強まりＭＡＸ迄行くとＭＩＮに戻るループを繰り返す。
３．ＲＧＢ各スイッチ５１〜５３を押し設定したい色になったらＦボタン５５を押しながら設定したい運指（３ビットスイッチング）を押すと設定色が３回点滅して完了する。
【００１７】
色設定モードに入る方法をさらに詳しく説明すると以下の通りである。
１．ＰＦＲＧＢ５１〜５３、５５、５６を全押し１回目１秒以上から５秒以下。
２.一旦、全スイッチオフ(離す)。
３．すぐにＰＦＲＧＢ５１〜５３、５５、５６を全押し１秒以上。
４．ＲＧＢＷ順点灯後、消灯して色設定モードに入る。
【００１８】
色設定モードの補助的仕様は次の通りである。１回目の全押し受付後、１０秒以内に２回目の全押しが無い場合、１回目の全押しはキャンセルされ通常モードに戻る。また、１回目の全押し受付後は、２回目の全押し１秒経過でそのまま色設定モードに入るので、２回目を押し続けられても、右・左手切り替えに入る事はない。色設定モード時、３０秒間何もしなかった場合は強制終了する。初回起動直後の調色表示(作成中の色)は全色オフ(黒)である。次回の色設定モード時は、前回の最終調色で始まるが、電池交換をした場合は、全色オフで始まる。
【００１９】
設定色保存方法は以下の通りである。調色の状態でＦキーを押すと、一瞬色が消えて保存待ちを知らせた後、再度点灯してＲＧＢボタン割り当て待ちとなる。Ｆキーを押したままＲＧＢの割り当てたいキーを２秒間押せば、設定色が３回点滅し、そのボタンに割り当てられる。Ｆキーを押してＲＧＢボタン割り当て待ちとなった状態でキー割り当て操作をせずにＦキーを離すと色設定モードから抜ける。設定色を不揮発メモリに保存するのは、色設定モードから抜ける時に実行する。また前述の３０秒間操作せずに強制終了する場合も、その時点までの設定変更があれば保存する。
【００２０】
なお、調色を不揮発メモリに保存することが可能であり、電池交換時も前回の調色表示が可能になる。
【００２１】
図４に、５１２各色自ら設定した色を保持しハンディーライトを振る動作をＧセンサーで読み取りそのアクションに対応した調光出来るモードを備えたハンディーライト１１の概略構成をブロック図により示す。端末（ハンディーライト）１１にはＲＧＢ各色８階調、３ビット分７色を設定できる。Ｇセンサー５９に加わる加速度を検知しそのデーターからアクションを演算回路で想定し、その想定に対応した調光信号をＬＥＤ駆動回路に指示を送り、発光部３０で出力する。
【００２２】
図５に、リング型のハンディーライト２０の概略構成を示す。図５（ａ）は正面図、図５（ｂ）は右側面図、図５（ｃ）は底面図、図５（ｄ）はｄ−ｄ断面図であり、内部の構成の一部を破線で示す。発光部３０には各色のＬＥＤを搭載した基板３１が搭載されている。発光部３０または把持部５０のいずれかに、電池３５と、制御基板３６が搭載される。把持部５０の形状は、それぞれの指で掴みやすい形状にすることができる。
【００２３】
図６に、リング型のハンディーライト２０の６面図を示す。図６（ａ）は正面図、図６（ｂ）は右側面図、図６（ｃ）は底面図、図６（ｄ）は背面図、図６（ｅ）は左側面図、図６（ｆ）は平面図であり、斜線を付けた部分は透光性の部材であることを示す。
【００２４】
図７に、リング型のハンディーライト２０の６面図を示す。図７（ａ）は正面図、図７（ｂ）は右側面図、図７（ｃ）は底面図、図７（ｄ）は背面図、図７（ｅ）は左側面図、図７（ｆ）は平面図であり、実線で示した部分が意匠出願の際に部分意匠として意匠登録を受けようとする部分を示す。
【００２５】
図８〜図１１は、リング型（パラレルタイプ）のハンディーライト２０の異なる例を示す図面である。図８（ａ）は正面図、図８（ｂ）は右側面図、図８（ｃ）は背面図、図８（ｄ）は左側面図、図８（ｅ）は平面図であり、図９（ａ）は正面図、図９（ｂ）は右側面図、図９（ｃ）は背面図、図９（ｄ）は左側面図、図９（ｅ）は平面図であり、図１０（ａ）は正面図、図１０（ｂ）は右側面図、図１０（ｃ）は背面図、図１０（ｄ）は平面図であり、図１１（ａ）は正面図、図１１（ｂ）は右側面図、図１１（ｃ）は背面図ある。
【００２６】
図１２に、トーチ型のハンディーライト１０の５面図を示す。図１２（ａ）は正面図、図１２（ｂ）は右側面図、図１２（ｃ）は背面図、図１２（ｄ）は平面図、図１２（ｅ）は底面図であり、左側面図は右側面図と対称である。
【００２７】
図１３に、トーチ型のハンディーライト１０の５面図を示す。図１３（ａ）は正面図、図１３（ｂ）は右側面図、図１３（ｃ）は背面図、図１３（ｄ）は平面図、図１３（ｅ）は底面図であり、左側面図は右側面図と対称である。実線で示した部分が意匠出願の際に部分意匠として意匠登録を受けようとする部分を示す。
【００２８】
図１４〜図１６は、トーチ型（リニアタイプ）のハンディーライト１０の異なる例を示す。それぞれの図の図（ａ）は正面図、図（ｂ）は右側面図、図（ｃ）は背面図である。
【００２９】
図１７に、パラレルタイプのさらに異なるハンディーライト２０の例を示す。図１８に、リニアタイプのさらに異なるハンディーライト１０の例を示す。
【符号の説明】
【００３０】
１０、２０  ハンディーライト
３０  発光部
５０  グリップ
【図５】
0006038736.tif 000002
【図６】
0006038736.tif 000003
【図７】
0006038736.tif 000004
【図１３】
0006038736.tif 000005
【図１７】
0006038736.tif 000006
【図１８】
0006038736.tif 000007
【図１】
0006038736.tif 000008
【図２】
0006038736.tif 000009
【図３】
0006038736.tif 000010
【図４】
0006038736.tif 000011
【図８】
0006038736.tif 000012
【図９】
0006038736.tif 000013
【図１０】
0006038736.tif 000014
【図１１】
0006038736.tif 000015
【図１２】
0006038736.tif 000016
【図１４】
0006038736.tif 000017
【図１５】
0006038736.tif 000018
【図１６】
0006038736.tif 000019